【手続補正書】
【提出日】平成17年8月31日(2005.8.31)
【手続補正１】
【補正対象書類名】明細書
【補正対象項目名】特許請求の範囲
【補正方法】変更
【補正の内容】
【特許請求の範囲】
【請求項１】式Ｉａの少なくとも１つの繰り返し単位を有するポリマー：
【化１】
2003176319.tif 000001
［ｎは０または１；ＲおよびＲ１は水素、メチル、およびＣ２〜Ｃ４アルキルからなる群から独立に選択され；Ｒ２はＣ１〜Ｃ８の分岐鎖および直鎖のアルキル基、Ｃ１〜Ｃ８の分岐鎖および直鎖のアルケニル基、Ｃ３〜Ｃ８の環状アルキル基、Ｃ６〜Ｃ１０の芳香族基、Ｃ２〜Ｃ４のアルキレンオキサイド基、およびポリ（Ｃ２〜Ｃ４アルキレン）ｍオキサイド（式中、ｍ＝２〜２０）からなる群から選択され；ペンダント複素環は、Ｎ、Ｏ、Ｓおよびそれらの組み合わせの群から選択されるヘテロ原子を１以上有する不飽和または芳香族の複素環を含み、該ペンダント複素環は複素環の一部であるヘテロ原子または複素環の炭素原子を介して化学的にＲ２基に結合し；Ｒ３は水素、メチル、エチル、およびＣ３〜Ｃ１８の分岐鎖および直鎖の、アルキルおよびアルケニル基からなる群から選択され；Ｒ４は、Ｈ、ＣＨ３、Ｃ２Ｈ５、Ｃ６Ｈ５およびＣ３〜Ｃ１８の分岐鎖および直鎖のアルキルおよびＣ３〜Ｃ１８のアルケニル基からなる群から選択される］
【請求項２】以下の式の１以上のエチレン性不飽和モノマーの重合単位をさらに有する、請求項１記載のポリマー：
ＣＨ（Ｒ５）＝Ｃ（Ｒ６）（Ｒ７）
［Ｒ５は、水素、フェニル、メチル、エチル、Ｃ３〜Ｃ１８の分岐鎖および直鎖のアルキルおよびアルケニル基からなる群から選択され；Ｒ６は水素、メチル、エチル、フェニル、Ｃ３〜Ｃ１８の分岐鎖および直鎖のアルキル基およびＣ３〜Ｃ１８アルケニル基、ＯＲ８およびＣＨ２ＯＲ８基｛Ｒ８は、アセテート、グリシジル、メチル、エチル、Ｃ３〜Ｃ１８の分岐鎖および直鎖のアルキルおよびＣ３〜Ｃ１８アルケニル基、並びに［ＣＨ２ＣＨ（Ｒａ）Ｏ］ｍＲｂの化学式を有する基（Ｒａは水素、メチル、エチル、またはフェニルであり、ｍは１〜２０の整数であって、さらにＲｂは水素、メチル、エチル、フェニル、およびベンジルから独立して選択される）｝からなる群から独立に選択され；さらにＲ７はＨ、ＣＨ３、Ｃ６Ｈ５、ＣＮ、ＣＯＲ９基｛Ｒ９はＯＨ、ＮＨ２、ＯＲ８基（Ｒ８は先に記載したとおりである）、およびＮＲｃＲｄ基（ＲｃおよびＲｄ基は同じ基または異なった基であり、５員環または６員環系の一部、水素、ヒドロキシメチル、メトキシメチル、エチル、およびＣ３〜Ｃ１８の分岐鎖および直鎖のアルキルおよびアルケニル基）｝からなる群から独立に選択される］
【請求項３】エチレン性不飽和モノマーが、無水マレイン酸、無水イタコン酸、無水シクロヘクス−４−エニルテトラヒドロフタル酸、エチレン、プロピレン、ブチレン、イソブチレン、プロピレンテトラマー（Ｃ１２〜Ｃ１４）、プロピレンダイマートリマー（Ｃ１８〜Ｃ２２）、１−ブテン、１−オクテン、１−デセン、スチレン、α−メチルスチレン、ヒドロキシスチレン、スチレンスルホン酸、ブタジエン、ビニルアセテート、ビニルブチレート、ビニルエステル、ビニルクロライド、ビニリデンクロライド、スチルベン、ジビニルベンゼン、（メタ）アクリル酸、Ｃ３〜Ｃ１８（メタ）アクリレートエステル、Ｃ３〜Ｃ１８（メタ）アクリルアミド、および（メタ）アクリロニトリルからなる群から選択される、請求項２記載のポリマー。
【請求項４】式Iａの官能化イミド成分、および式Iｂの官能化アミド成分の１以上の繰り返し単位を含むポリマー：
【化２】
2003176319.tif 000002
［ｎは０または１；ＲおよびＲ１は水素、メチル、およびＣ２〜Ｃ４アルキルからなる群から独立に選択され；Ｒ２はＣ１〜Ｃ８の分岐鎖および直鎖のアルキル基、Ｃ１〜Ｃ８の分岐鎖および直鎖のアルケニル基、Ｃ３〜Ｃ８の環状アルキル基、Ｃ６〜Ｃ１０の芳香族基、Ｃ２〜Ｃ４のアルキレンオキサイド基、およびポリ（Ｃ２〜Ｃ４アルキレン）ｍオキサイド（式中、ｍ＝２〜２０）からなる群から選択され；ペンダント複素環は、Ｎ、Ｏ、Ｓおよびそれらの組み合わせの群から選択されるヘテロ原子を１以上有する不飽和または芳香族の複素環を含み、該ペンダント複素環は複素環の一部であるヘテロ原子または複素環の炭素原子を介して化学的にＲ２基に結合し；Ｒ３は水素、メチル、エチル、およびＣ３〜Ｃ１８の分岐鎖および直鎖の、アルキルおよびアルケニル基からなる群から選択され；Ｒ４は、Ｈ、ＣＨ３、Ｃ２Ｈ５、Ｃ６Ｈ５およびＣ３〜Ｃ１８の分岐鎖および直鎖のアルキルおよびＣ３〜Ｃ１８のアルケニル基からなる群から選択される］
【請求項５】化学成分Ａ、ＢおよびＣを含む腐食防止ポリマーであって、Ａは、開始剤のフラグメント、連鎖移動剤のフラグメント、溶媒のフラグメント、およびそれらの組み合わせから選択される１以上の末端基を任意に含み、Ｂは、式Iａの官能化イミド成分、式Iｂの官能化アミド成分、および式IａおよびIｂの組み合わせから選択される少なくとも１つの繰り返し単位を含み；Ｃは、式ＩＩの１以上のエチレン性不飽和モノマーを表す；
式ＩＩ    ＣＨ（Ｒ５）＝Ｃ（Ｒ６）（Ｒ７）
［Ｒ５は、水素、フェニル、メチル、エチル、Ｃ３〜Ｃ１８の分岐鎖および直鎖のアルキルおよびアルケニル基から選択され；Ｒ６は水素、メチル、エチル、フェニル、Ｃ３〜Ｃ１８の分岐鎖および直鎖のアルキルおよびアルケニル基、ＯＲ８およびＣＨ２ＯＲ８基｛Ｒ８は、アセテート、グリシジル、メチル、エチル、Ｃ３〜Ｃ１８の分岐鎖および直鎖のアルキルおよびアルケニル基、並びに［ＣＨ２ＣＨ（Ｒａ）Ｏ］ｍＲｂの化学式を有する基（Ｒａは水素、メチル、エチル、またはフェニルであり、ｍは２〜２０の整数であって、さらにＲｂは水素、メチル、エチル、フェニル、およびベンジルから独立して選択される）｝から独立に選択され；さらにＲ７はＨ、ＣＨ３、Ｃ２Ｈ５、ＣＮ、ＣＯＲ９基｛Ｒ９はＯＨ、ＮＨ２、ＯＲ８基（Ｒ８は先に記載したとおりである）、およびＮＲｃＲｄ基（ＲｃおよびＲｄ基は同じ基または異なった基であり、５員環または６員環系の一部、水素、ヒドロキシメチル、メトキシメチル、エチル、およびＣ３〜Ｃ１８の分岐鎖および直鎖のアルキルおよびアルケニル基）｝から独立に選択される］ポリマー。
【請求項６】Ａが、ジアルキルペルオキシド、アルキルヒドロペルオキシド、ｎ−ドデシルイソプロピルアルコール、アルキルホスホネート、アルキルホスファイト、アリールホスフィン酸、アルキルホスフィン酸、次亜リン酸塩、アルデヒド、ホルメート、トルエン、キシレン、Ｃ９〜Ｃ１０アルキル芳香族およびＡｒｏｍａｔｉｃ １００からなる群から選択される、請求項６記載のポリマー。
【請求項７】ポリマーが以下の式を有する請求項６記載のポリマー：
式 （Ａ）ｘ（Ｂ）ｙ（Ｂ’）ｚ
［Ａは、アルキル芳香族化合物、トルエン、キシレン、Ｃ９〜Ｃ１０アルキル置換芳香族炭化水素、Ａｒｏｍａｔｉｃ １００、およびこれらの混合物からなる群から選択されるフラグメントであり；
Ｂは、スクシンイミド、グルタルイミドおよびそれらの組み合わせから選択され；
Ｂ’は式Iａを有する官能化イミド成分、または式Iｂを有する官能化アミド成分から選択される少なくとも１つの繰り返し単位を含み、それぞれのＢ’成分はＣ１〜Ｃ１８の分岐鎖または直鎖のアルキルまたはアリール、飽和または不飽和のアミン基、アミド基、カルボン酸基、またはアルコール基およびこれらの組み合わせを含むペンダント基を有し、スクシンイミド、グルタルイミドおよびそれらの組み合わせから選択される；さらにｘ、ｙ、ｚは（ｙ＋ｚ）／ｘが２より大きくなるように選択される整数である］
【請求項８】ペンダント複素環が、イミダゾール、トリアゾールおよびそれらの異性体、チオフェン、ピロール、オキサゾール、チアゾールおよびそれらの異性体、ピラゾール、置換チアゾールおよびそれらの異性体、テトラゾール、ピリジン、ピリダジン、ピリミジン、ピラジン、およびそれらの組み合わせからなる群から選択される、請求項６記載のポリマー。
【請求項９】Ｃが、無水マレイン酸、無水イタコン酸、無水シクロヘクス−４−エニルテトラヒドロフタル酸、エチレン、プロピレン、ブチレン、イソブチレン、ジ−イソブチレン、プロピレンテトラマー（Ｃ１２〜Ｃ１４）、プロピレンダイマートリマー（Ｃ１８〜Ｃ２２）、１−ブテン、１−オクテン、１−デセン；スチレン、α−メチルスチレン、ヒドロキシスチレン、スチレンスルホン酸、ブタジエン；ビニルアセテート、ビニルブチレート、ビニルエステル、ビニルクロライド、ビニリデンクロライド、スチルベン、ジビニルベンゼン、（メタ）アクリル酸、Ｃ３〜Ｃ１８（メタ）アクリレートエステル、Ｃ３〜Ｃ１８（メタ）アクリルアミド、および（メタ）アクリロニトリルからなる群から選択される、請求項６記載のポリマー。
【請求項１０】少なくとも１つの請求項１記載の腐食防止ポリマー組成物、並びにバイオサイド、スケール抑制剤、腐食防止剤、界面活性剤、消泡剤、不活性蛍光トレーサーおよびそれらの組み合わせからなる群から選択した１以上の添加剤を含む、金属用の腐食防止配合物。
【手続補正２】
【補正対象書類名】明細書
【補正対象項目名】００１１
【補正方法】変更
【補正の内容】
【００１１】
従って、本発明は、
ｉ）式Iａの官能化イミド成分、式Iｂの官能化アミド成分および式IａおよびIｂの組み合わせから選択した少なくとも１つの繰り返し単位；
ｉｉ）無水マレイン酸、無水イタコン酸、無水シクロヘクス−４−エニルテトラヒドロフタル酸および式ＩＩ：
式ＩＩ    ＣＨ（Ｒ５）＝Ｃ（Ｒ６）（Ｒ７）
［Ｒ５は、水素、フェニル、メチル、エチル、Ｃ３〜Ｃ１８の分岐鎖および直鎖のアルキルおよびアルケニル基から選択され；Ｒ６は水素、メチル、エチル、フェニル、Ｃ３〜Ｃ１８の分岐鎖および直鎖のアルキルおよびアルケニル基、ＯＲ８およびＣＨ２ＯＲ８基｛Ｒ８は、アセテート、グリシジル、メチル、エチル、Ｃ３〜Ｃ１８の分岐鎖および直鎖のアルキルおよびアルケニル基、さらに［ＣＨ２ＣＨ（Ｒａ）Ｏ］ｍＲｂの化学式を有する基（Ｒａは水素、メチル、エチル、またはフェニルであり、ｍは１〜２０の整数であって、さらにＲｂは水素、メチル、エチル、フェニル、およびベンジルから独立して選択される）｝から独立に選択され；さらにＲ７はＨ、ＣＨ３、Ｃ２Ｈ５、ＣＮ、ＣＯＲ９基｛Ｒ９はＯＨ、ＮＨ２、ＯＲ８基（Ｒ８は先に記載したもの）、およびＮＲｃＲｄ基（ＲｃおよびＲｄ基は同じ基または異なった基であり、５員環または６員環系の一部、水素、ヒドロキシメチル、メトキシメチル、エチル、およびＣ３〜Ｃ１８の分岐鎖および直鎖のアルキルおよびアルケニル）｝から独立に選択される］のモノマーから選択した少なくともひとつのエチレン性不飽和モノマー成分：
ｉｉｉ）任意に、開始剤のフラグメント、連鎖移動剤のフラグメント、溶媒のフラグメント、およびそれらの組み合わせから選択される１以上の末端基、を含む腐食防止ポリマーを提供する。